(57)【要約】【課題】生産準備や保守点検を行うためにカバーを開いて生産設備の内部を開放したとき、表示体によって開放空間が隠蔽されないようにする表示体保持装置を提供する。【解決手段】カバー１に吊下げ部材６によって上端を回動可能に保持し、下端支持金具１１に設けたローラ１５がガイド部材７に沿って移動できるように表示体３をカバー１に取り付ける。カバー１を開くと、カバー１の動きに連動して表示体３が上昇移動するので、カバー１を開いて開放された空間の正面を表示体３によって隠蔽してしまうことがない。【選択図】  図４
2004361458.tif 000002
【特許請求の範囲】
【請求項１】
生産設備の内部構造物を内包する筐体に開閉可能にカバーが取り付けられ、生産設備の操作入力及び稼動状態を表示する表示体が、カバーの開閉動作に連動する吊下げ部材と、移動位置に案内するガイド部材とにより、定常位置と退避位置との間で移動可能に保持されてなることを特徴とする表示体保持装置。
【請求項２】
表示体に、それを移動させるための把持部が形成されてなる請求項１に記載の表示体保持装置。
【請求項３】
ガイド部材に、表示体を複数の退避位置に係止する係止手段が設けられてなる請求項１又は２に記載の表示体保持装置。
【発明の詳細な説明】
【０００１】
【発明の属する技術分野】
本発明は、生産設備に取り付けられて操作入力や稼動状態を表示する液晶表示パネルのような表示体を生産設備に取り付ける表示体保持装置に関するものである。
【０００２】
【従来の技術】
例えば、生産設備の一例である部品実装装置は部品供給部と部品実装部とを備え、搬入された回路基板の所定位置に部品供給部から供給される所定の部品を部品実装部により実装し、所定数の部品が実装された回路基板を次工程に搬出する動作を自動実行する。この部品を回路基板に実装する動作手順は実装プログラムに基づいて実行されるが、生産条件等の設定はオペレータがキーボードやマウス等の操作入力手段から設定入力し、表示体上に表示される。また、表示体には部品実装装置の稼動状態が表示されるので、オペレータは稼動状態を監視することができ、動作異常等が発生した際にも、その状態が表示されるので、オペレータは動作異常に速やかに対応することができる。
【０００３】
部品実装装置における表示体の配設位置は、装置の上方あるいは側方に配置されることが多かったが（特許文献１参照）、上方に配置すると保守点検等を行う際にカバーを開くと表示体がカバーで隠蔽されてしまう問題があり、側方に配置すると作業位置から表示体が離れて見難く、作業効率が低下する問題があった。特に、表示体にタッチパネル機能を設けて表示体にタッチすることにより操作入力を行うように構成した場合には、表示体は作業位置から視認しやすく手の届く範囲内に配置されていることが要求される。
【０００４】
そこで、表示体として液晶表示パネルを用いると、奥行寸法が少ないため、図１に示すように、表示体３を装置の正面に配置することができ、画面サイズを大きくして表示情報量を多くし、タッチパネルとしての入力情報量を多くすることができる。
【０００５】
【特許文献１】
特開昭６３−２３２５００号公報（第２〜３頁、図２）
【０００６】
【発明が解決しようとする課題】
しかしながら、設備の正面に大きなサイズの表示体を配置すると、上述のような利点が得られるものの、部品実装装置においては生産準備や保守点検、あるいは故障修理等を行う際に作業できる範囲に制約が生じ、作業効率が低下する問題があった。
【０００７】
図１に示すような部品実装装置においては、生産準備や保守点検を行う際には、装置の正面を覆うカバー１を開くことになるが、表示体３の画面部分はカバー１に形成された表示体窓２から外部露出するように固定されているので、カバー１を開いても表示体３はそのままの位置にあり、作業空間を狭くして作業の障害となる。
【０００８】
本発明の目的とするところは、生産準備や保守点検の際にカバーを開いたときに表示体を移動させて作業空間が確保でき、尚且つ表示体の視認やタッチは可能とする表示体保持装置を提供することにある。
【０００９】
【課題を解決するための手段】
上記目的を達成するために本発明に係る表示体保持装置は、生産設備の内部構造物を内包する筐体に開閉可能にカバーが取り付けられ、生産設備の操作入力及び稼動状態を表示する表示体が、カバーの開閉動作に連動する吊下げ部材と、移動位置に案内するガイド部材とにより、定常位置と退避位置との間で移動可能に保持されてなることを特徴とする。
【００１０】
上記構成によれば、生産設備における生産準備や保守点検等を行う際にカバーを開くと、それに連動して表示体が定常位置から退避位置に移動するので、表示体によって内部構造物が隠蔽されることがなく、生産準備や保守点検等の作業を行い易くなる。また、表示体の表示情報量を大きくしたり、タッチパネルとしての機能を設けた場合には、表示体は大型化して、それによって隠蔽される部位の発生量が増加することになるが、カバーの開閉に応じて移動させることにより、表示体としての機能に制約を与えることがない。
【００１１】
上記構成において、それを移動させるための把持部を形成することにより、把持部で表示体を把持して表示体を移動させることによってカバーを開閉させることができ、カバーを開いたときの位置が手の届かない位置に移動するような場合でも、閉じるための操作を表示体を移動させる操作により行うことができる。
【００１２】
また、ガイド部材に、表示体を複数の退避位置に係止する係止手段を設けることにより、作業者の身長に応じた退避位置に表示体を係止させることができ、カバーを開いて行う生産準備や保守点検等の作業を容易にすることができる。
【００１３】
【発明の実施の形態】
以下、添付図面を参照して本発明の実施の形態について説明し、本発明の理解に供する。尚、本実施の形態は本発明を具体化した一例であって本発明の技術的範囲を限定するものではない。
【００１４】
図１は、生産設備の一例である部品実装装置の構成を示すもので、内部構造の図示は省略するが、装置の前後には複数の部品供給部２０が配設され、搬入口２１から搬入された回路基板に対し、基台２２上に配設された部品実装部により各部品供給部２０から供給される部品を順次実装し、所定数の部品が実装された回路基板を次工程に向けて搬出する動作を実装プログラムに基づいて自動的に実行する。前記基台２２上には、図２に示すように構成されたフレーム５が取り付けられており、これに外装体となる板材を固定するとともに、カバー１を開閉可能に取り付けることにより、生産準備や保守点検を行う際には、カバー１を開いて基台２２上を開放して作業を実施することができる。
【００１５】
図１に示すように、部品実装装置の正面側に設けられたカバー１には表示体窓２が形成され、カバー１の内側には表示体窓２から表示面を外部露出させて表示体３が配設され、その下方に制御装置やキーボード等の操作入力手段を収容した操作部１６が配設され、部品実装装置を稼動させるための設定入力や表示体３による表示切り換え等の操作は、操作入力手段や表示体３をタッチパネルとするタッチ操作によって実施できるように構成されている。前記カバー１の下端には取っ手４が設けられ、取っ手４を持って引き上げることによりカバー１を開くことができ、開いたカバー１は取っ手４を持って引き下げることにより閉じることができ、カバー１の閉じ位置は、その下端が操作部１６のカウンタトップ上面に当接する位置としている。
【００１６】
液晶表示パネルとして形成された表示体３には、図３、図５に示すように、上端に上端支持金具１０、下端に下端支持金具１１が取り付けられており、上端支持金具１０は、その両端とカバー１の上部内面に一端が固定された一対の吊下げ部材６，６の下端との間に、回動軸となるピン１３を嵌挿することにより回動可能に吊下げ支持され、前記下端支持金具１１は、その一端に取り付けたローラ１５が操作部１６上に直立固定されたガイド部材７に形成されたガイド溝７ａ内に嵌め合わされている。
【００１７】
図４に示すように、取っ手４を持ってカバー１を引き上げると、カバー１はフレーム５との間に設けられた蝶番構造１４から回動して仮想線で示す位置まで上昇するので、部品実装装置の基台２２上は大きく開放される。このようにカバー１の下端が上昇するように回動すると、カバー１に一端が固定された吊下げ部材６も上昇移動するので、それに下端で連結された表示体３も引き上げられ、下端支持金具１１の一端に固定されたローラ１５がガイド部材７のガイド溝７ａを移動することにより、表示体３は直線移動により仮想線で示す退避位置に上昇し、基台２２の前面を塞いでいた状態を開放するので、カバー１を開いて生産準備や保守点検等を行う作業の自由度が向上する。
【００１８】
前記ガイド溝７ａのローラ１５の移動上端位置に、図示するように係止凹部７ｂを形成しておくことにより、カバー１を開いて表示体３が退避位置に移動したとき、ローラ１５が係止凹部７ｂ内に嵌入し、表示体３の退避位置が位置決めされる。この表示体３の位置決めにより、カバー１の上昇位置も同時に位置決めされる。
【００１９】
表示体３には、図５に示すように、その下方正面に手掛かり凹部となる把持部９が設けられているので、把持部９に手を掛けて表示体３の下方を手前側に引くように操作すると、ローラ１５は係止凹部７ｂから外れるので、そのまま表示体３を引き下げると、カバー１も下方に下がるので、それに設けられた取っ手４を持って引き下げるとカバー１を閉じ、表示体３を定常位置に戻すことができる。
【００２０】
図６に示すように、ガイド溝７ａに高さ位置を代えて２箇所に係止凹部７ｂを形成することにより、カバー１を開いたときの表示体３の退避位置及びカバー１の上昇位置を２段階に位置決めすることができる。この構成により、作業者は自らの身長に応じた高さ位置に表示体３及びカバー１を上昇させることができるので、カバー１を開いたときの表示体３の位置を身長に合わせて設定することができ、身長が低い作業者であっても表示体３の表示を見る動作やタッチパネルとしての操作を容易に行うことができる。
【００２１】
【発明の効果】
以上の説明の通り本発明によれば、カバーを開く動作に連動して表示体も移動するので、表示画面を大きくした表示体を適用した場合においても、表示体により作業部位が隠蔽されてしまうことがなく、生産準備や保守点検等の作業を容易に実施することができる。また、作業者の身長に合わせた表示体の退避位置の変更が可能なので、カバーを開いたときに表示体を見る動作やタッチパネルとしてのタッチ操作を身長の大小にかかわらず容易に実施することができる。
【図面の簡単な説明】
【図１】生産設備の一例である部品実装装置の構成を示す斜視図。
【図２】同上装置を構成するフレーム及び表示体を示す斜視図。
【図３】カバーに対する表示体の配置構造を示す部分正面図。
【図４】カバーを開く動作に応じた表示体の移動を説明する側面図。
【図５】表示体の移動構造を示す正面図。
【図６】表示体の移動位置を変更可能とした構造を示す側面図。
【符号の説明】
１  カバー
２  表示体窓
３  表示体
４  取っ手
５  フレーム
６  吊下げ部材
７  ガイド部材
７ａ  ガイド溝
７ｂ  係止凹部
９  把持部
１０  上端支持金具
１１  下端支持金具
１３  ピン
１５  ローラ
【図１】
2004361458.tif 000003
【図２】
2004361458.tif 000004
【図３】
2004361458.tif 000005
【図４】
2004361458.tif 000006
【図５】
2004361458.tif 000007
【図６】
2004361458.tif 000008